(57)【特許請求の範囲】
【請求項１】
定形用紙よりも長い長尺用紙が供給されて画像形成処理を行う画像形成装置において、
画像形成処理が行われる画像形成部に向けて前記長尺用紙を送出する送出手段が前記長尺用紙の供給路に備えられたものであって、
前記送出手段の上流側における前記供給路の両側部にカッターを備え、このカッターは、前記供給路の幅方向に定められた領域を超えた前記長尺用紙の側縁部分を前記供給路に沿ってカットすることを特徴とする画像形成装置。
【請求項２】
前記カッターの近傍にガイド板を設け、このガイド板は、カットされた前記長尺用紙の側縁部分を前記供給路の外へガイドすることを特徴とする請求項１に記載の画像形成装置。
【請求項３】
前記ガイド板にローラを設け、このローラは、カットされた前記長尺用紙の側縁部分を前記供給路の外へ送り出すことを特徴とする請求項２に記載の画像形成装置。
【請求項４】
前記ガイド板の端部から装置本体の外部へ貫通する貫通口を設け、カットされた前記長尺用紙の側縁部分を前記貫通口から前記装置本体の外部へ排出することを特徴とする請求項２又は３に記載の画像形成装置。
【請求項５】
供給される前記長尺用紙の幅が前記領域の幅よりも広いことを特徴とする請求項１から４のいずれかに記載の画像形成装置。
【発明の詳細な説明】
【０００１】
【発明の属する技術分野】
本発明は、所定のサイズにカットされた定形用紙よりも長い長尺用紙が供給されて画像形成処理を行う画像形成装置に関するものである。
【０００２】
【従来の技術】
複写機やプリンタ等の画像形成装置には、従来より、定形用紙、小サイズの葉書や封筒等が主として用いられていたが、最近、家庭用の複写機等において、長尺用紙が用いられることが多くなってきている。
【０００３】
ところで、一般的な画像形成装置は、用いられる最大幅の用紙に準じて用紙の供給路の幅寸法が決められて設計されている。つまり、最大幅の用紙が供給されたとしてもＪＡＭ（紙詰まり）等のトラブルが生じないように、この供給路の幅寸法は用紙の最大幅よりも広くなっている。例えば、定形用紙に対しては、装置のコンパクト性等も考慮して、３０〜４０ｍｍ（幅の中心に対して片側で１５〜２０ｍｍ）程度広くなっていれば十分である。
【０００４】
【発明が解決しようとする課題】
しかし、長尺用紙が用いられた場合は状況が異なってくる。この様子を図７に基づき以下に説明する。図７は、長尺用紙が供給路に対して斜めに供給された状態（以下、「斜行」と記すことがある）が示されている。１１０は、供給路１２０上に備えられ長尺用紙１１５の搬送を司る代表的な搬送ローラであり、円筒状のローラパッド１１１とその両端に軸部１１２、１１２を有している。この搬送ローラ１１０は軸部１１２、１１２に設けられた一対の軸受け１１３、１１３を介して不図示の装置本体に対して回転自在に取り付けられている。１１４は、搬送ローラ１１０を回転させるためのギヤであり、一つの軸部１１２に固定され不図示の駆動機構に連結されている。なお、供給路１２０の外側には、図示していないが、搬送ローラ１１０を支持する支持部材や、供給路１２０に向けて突出するような部材が存在している。例えば、供給路１２０を横断して長尺用紙１１５を幅方向にカットする不図示のカッターが設けられていた場合、長尺用紙１１５の供給方向Ｆに対してそのカッターの下流側近傍において、供給路１２０に向けて突出するような部材が存在していることが多い。
【０００５】
今、供給路１２０の幅Ｗをローラパッド１１１の幅とほぼ等しく定め、長尺用紙１１５が斜行して供給されている。長尺用紙１１５は、その供給方向Ｆに長いため、一旦斜行して長尺用紙１１５の供給が進行すると、その後端部にいくに従い供給路１２０の幅Ｗの領域を超える度合いが大きくなっていく。すると、供給路１２０の幅Ｗの領域を超えた長尺用紙１１５の側縁部分は、軸受け１１３やギヤ１１４に噛み込んでしまったり、搬送ローラ１１０を支持する支持部材や、供給路１２０に向けて突出するような部材と干渉してしまったりしてトラブルが生じる。
【０００６】
このように長尺用紙の場合は、定形用紙ではトラブルにつながらない程度の軽微な斜行であっても、供給路の幅を超えた位置に配置された軸受けやギヤ等の部品に用紙が噛み込んでしまう等のトラブルが生じ易い。また、軸受けやギヤに噛み込んだ用紙は、特に取り除くことが困難であるため、この用紙を取り除く際に用紙がちぎれることが多く、仮に、そのちぎれた用紙が装置の内部に残存すると、再度装置を作動させたときにトラブルや破損を引き起こしかねない。このような問題を防ぐには、供給路の幅をより広く定めることが容易に考えられるが、装置の大型化を伴うことになり、しかも、供給路に向けて突出するような部材に対してはより悪化するので得策ではない。
【０００７】
そこで、本発明は、上記の問題に鑑みてなされたものであり、供給路の幅を超えた位置に配置された部品に長尺用紙が噛み込んだり干渉したりするというトラブルを未然に防ぐことができる画像形成装置を提供することを目的とするものである。
【０００８】
【課題を解決するための手段】
上記目的を達成するため、本発明による画像形成装置は、定形用紙よりも長い長尺用紙が供給されて画像形成処理を行う画像形成装置において、画像形成処理が行われる画像形成部に向けて長尺用紙を送出する送出手段が長尺用紙の供給路に備えられたものであって、送出手段の上流側における供給路の両側部にカッターを備え、このカッターは、供給路の幅方向に定められた領域を超えた長尺用紙の側縁部分を供給路に沿ってカットするようになっている。
【０００９】
また、カットされた長尺用紙の側縁部分が供給路へ侵入すると、トラブルが生じるおそれがあるので、この側縁部分を供給路から排除する観点から、カッターの近傍にガイド板を設け、このガイド板は、カットされた長尺用紙の側縁部分を供給路の外へガイドするようになっている。
【００１０】
また、前記側縁部分を供給路から確実に排除できるように、ガイド板にローラを設け、このローラは、カットされた長尺用紙の側縁部分を供給路の外へ送り出すようになっている。
【００１１】
更に、供給路から排除された長尺用紙の側縁部分が装置本体の内部に残存すると、トラブルにつながるおそれがあるので、この側縁部分を装置本体の内部に残存させないように、ガイド板の端部から装置本体の外部へ貫通する貫通口を設け、カットされた長尺用紙の側縁部分を貫通口から装置本体の外部へ排出するようになっている。
【００１３】
そして、常時長尺用紙の側縁部分がカットされていれば、画像形成がなされた後の用紙が一定幅に安定するので、供給される長尺用紙の幅が前記領域の幅よりも広いことが好ましい。
【００１４】
【発明の実施の形態】
以下に、本発明の具体的な実施形態を図面を参照しながら説明する。図１、２は本発明の一実施形態である画像形成装置の外観斜視図、図３は本実施形態の画像形成装置の要部縦断面図、図４は長尺用紙モードの設定手順を示すフローチャート、図５は長尺用紙の側縁部分を切断する縦カッターの配置を示す図、図６は図５を右方から見た図である。
【００１５】
この画像形成装置は複写機であって、図１、２において、１は画像形成装置本体で、上面に複写原稿が載置されるコンタクトガラス２を有している。３は自動原稿搬送装置（ＡＤＦ）で、後端側がヒンジ機構４、４を介して画像形成装置本体１に回動自在に取り付けられていて、図２に示すように、コンタクトガラス２から離れた状態で静止できるようになっている。自動原稿搬送装置３は搬送部９０を備えていて、９１は複写原稿を載せる原稿載置台、９２は複写原稿を搬送方向と直交する方向に規制するガイドである。また、コンタクトガラス２の側方にはＡＤＦ用コンタクトガラス９３が設けられている。そして、自動原稿搬送装置３の底面でＡＤＦ用コンタクトガラス９３に対応する位置にはスリット９４が設けられており、原稿がこのスリット９４を通過するときに図示しない露光光学系によって原稿が読み取られるようになっている。また、スリット９４の側方で、コンタクトガラス２に対応する位置には原稿マット９５が設けられている。５は複写情報等を入力するための操作パネルである。
【００１６】
６は前カバーで、下端側がヒンジ機構７、７を介して画像形成装置本体１に回動自在に取り付けられていて、手前側に開くと前方に向けてほぼ水平に突出した状態で保持されるようになっている。８はトナーカートリッジ、９はトナー回収タンクである。
【００１７】
前カバー６の下方には上下二段の給紙カセット１０、１１が設けられている。これらは所定サイズにカットされた定形の用紙を自動給紙するためのもので、画像形成装置本体１に対して前後方向に出入り自在に取り付けられている。また、前カバー６の上方には、排出部１２から排出された複写物を貯留するためのコピー収納部１３が設けられている。
【００１８】
１４は手差し給紙部で、手差しトレイ１５を有している。手差しトレイ１５は基端部の支軸（不図示）を介して画像形成装置本体１に回動自在に取り付けられていて、図１に示すように側方に向けてほぼ水平に突出した状態と、ほぼ垂直に起立して画像形成装置本体１の側面に密着した状態とをとることができるようになっている。
【００１９】
長尺用紙１７は、手差しトレイ１５を介して給紙口２５に供給されるようになっている。この長尺用紙１７は、適当な長さにカットされたものでも、長さ方向にロール状に巻かれたものでも構わない。なお、長尺用紙１７が取り付けられた際、その取り付けを検知する不図示のセンサー２３が設けられていて、このセンサー２３は画像形成装置本体１の制御回路（不図示）に接続されている。
【００２０】
図３に基づき説明を続ける。手差し給紙部１４の給紙口２５には給紙コロ２６が設けられ、その下方にはリフト板２７及びさばき機構２８が設けられている。リフト板２７は図示しない駆動機構により図の左側の端部を支点として回動し、給紙コロ２６の外周部に対して接離するようになっている。さばき機構２８は、摩擦パッド２９、ソレノイド３０、及びこれらを連結するリンク３１等から成っている。
【００２１】
摩擦パッド２９は摩擦係数の高い材料により形成され、一端が支軸３２を介して画像形成装置本体１に回動自在に取り付けられていて、給紙コロ２６の外周部に対して接離するようになっている。なお、摩擦パッド２９は、図示しないバネを介して給紙コロ２６に接する方向に付勢されている。
【００２２】
摩擦パッド２９の他端には支持部３３が設けられていて、この支持部３３にはピン３４を介してリンク３１の一端が回動自在に取り付けられている。ソレノイド３０は可動鉄心３０ａを上方に向けて画像形成装置本体１に固定されていて、可動鉄心３０ａにはピン３５を介してリンク３１の他端が回動自在に取り付けられている。ソレノイド３０に通電すると可動鉄心３０ａが引き込まれ、リンク３１が摩擦パッド２９を給紙コロ２６から離れる方向に回動させる。
【００２３】
摩擦パッド２９の上方には、長尺用紙１７を切断するカッター５０が設けられている。このカッター５０は、円盤状の刃を中心点まわりに回転自在に支持した移動体が長尺用紙１７の幅方向に走行して長尺用紙１７を同方向に切断するものである。このカッター５０の上方にはレジストローラ３６、３７が設けられていて、これらは用紙の搬送経路を挟むように対向配置され、図示しない駆動機構によりローラ３６が回転駆動されるようになっている。そして、これらの下方には用紙の通過を検知するレジストスイッチ３８が設けられていて、制御回路は、このレジストスイッチ３８から与えられる信号に応じてレジストローラ３６を駆動する。
【００２４】
ここで、本実施形態では、図５、６に示すように、給紙コロ２６とレジストローラ３６、３７との間における長尺用紙１７の供給路８０の両側部に、長尺用紙１７を供給方向Ｆに沿って切断する一対の縦カッター９１、９１が、供給路８０の幅Ｗを隔てて設けられている。縦カッター９１は、円盤状の刃９１ａとこの刃９１ａの中心軸９１ｂとからなり、この中心軸９１ｂは不図示の軸受け部を介して画像形成装置本体１に回転自在に支持されている。従って、長尺用紙１７の側縁が供給路８０の幅Ｗを超えて供給方向Ｆに供給されたとき、すなわち、縦カッター９１上を長尺用紙１７の側縁部分が通過したとき、縦カッター９１の刃９１ａは回転しながらその長尺用紙１７の側縁部分を切断する。そして、長尺用紙１７はレジストローラ３６、３７に供給される適正部分１７ａと不要部分１７ｂとに分離されることになる。なお、供給路８０の幅は、レジストローラ３６、３７の幅とほぼ等しく定めている。
【００２５】
また、縦カッター９１、９１の近傍には、長尺用紙１７の不要部分１７ｂを供給路８０の外へ導くために、ガイド板９２、９２と排出ローラ９３、９３とが設けられている。ガイド板９２は、対向する２枚のガイド板９２ａ、９２ｂからなり、一端が供給路８０上に向けられるとともに、他端が画像形成装置本体１に設けた開口９４に連結されている。排出ローラ９３は、周面の一部を２枚のガイド板９２ａ、９２ｂの隙間に表出させた円筒状のコロ９３ａと、このコロ９３ａの中心軸９３ｂとからなり、この中心軸９１ｂは、不図示の軸受け部を介して画像形成装置本体１に回転自在に支持され、不図示の駆動機構に連結されている。従って、長尺用紙１７の不要部分１７ｂは、排出ローラ９３の回転に助長されて２枚のガイド板９２ａ、９２ｂの隙間を通過し、開口９４から画像形成装置本体１の外部へ送り出される。
【００２６】
なお、このように縦カッター９１、９１を長尺用紙１７の供給方向Ｆに対してレジストローラ３６、３７の上流側に設けているのは、長尺用紙１７の斜行が生じても、レジストローラ３６、３７の両端に通常設けられている軸受けやギヤに供給路８０の幅Ｗを超えた長尺用紙１７の側縁部分が噛み込む前に、その側縁部分を切断するためである。
【００２７】
また、供給路８０の外側には、図５、６に図示していないが、レジストローラ３６、３７を支持する支持部材や、供給路８０に向けて突出するような部材が存在している。例えば、給紙コロ２６の近傍上方には供給路８０を横断して長尺用紙１７を幅方向に切断する前記カッター５０が設けられおり、このカッター５０の近傍上方において、供給路８０に向けて突出するような部材が存在している。
【００２８】
図３に戻って説明を続ける。レジストローラ３６、３７の上方には画像形成部３９が設けられている。画像形成部３９は、表面にトナー像が形成される感光体ドラム４０と、その周囲に回転方向に沿って配設されたクリーニングユニット４１、帯電器４２、現像ユニット４３、転写ローラ４４等を有している。
【００２９】
画像形成部３９の上方には定着部４５が設けられている。この定着部４５は、用紙の搬送経路を挟むように対向配置された一対のローラ４６、４７を有しており、これらの間に用紙を挟み込んで加圧するとともに加熱し、用紙上に転写されたトナー像を溶融せしめて用紙上に定着させる。
【００３０】
定着部４５の上方には前記排出部１２が設けられている。この排出部１２は、用紙の搬送経路を挟むように対向配置された一対の排出ローラ４８、４９を有しており、定着部４５を通過した用紙を排出ローラ４８、４９で挟み込んでコピー収納部１３内に排出する。
【００３１】
また、本実施形態では、長尺用紙１７が取り付けられた際、その取り付けを不図示のセンサー２３が検知すると、長尺用紙に対する画像形成処理に適した長尺用紙モードに自動的に移行するようになっている。この長尺用紙モードの内容は、具体的には、▲１▼レジストスイッチ３８を用いたＪＡＭの検知を行わないか検知時間を長くする、▲２▼画像メモリを分割しない、▲３▼さばき機構２８が動作しない、という三つの要素から成っている。これらについて、以下に詳細に説明する。
【００３２】
まず、▲１▼について説明する。用紙の搬送方向先端部がレジストスイッチ３８に達するとレジストスイッチ３８がＯＮとなり、その用紙の搬送方向後端部がレジストスイッチ３８を通過するとレジストスイッチ３８がＯＦＦとなる。このＯＮからＯＦＦまでの時間は用紙のサイズによって決まり、制御回路は、この時間が所定時間を超えると重送が生じていると判定して運転を停止する。定形用紙を連続して搬送する場合には、用紙間に隙間が生じるため、このような処理が可能であるが、長尺用紙は連続しているため、カットされない限りレジストスイッチ３８はＯＮのままで、定形用紙の場合と同じ長さの時間で判定すると誤動作となる。そこで、長尺用紙モードにおいては、このような処理を行わないか、または検知時間を長くして誤動作を防ぐようにしている。
【００３３】
次に、▲２▼について説明する。定形用紙に画像形成を行う場合、制御回路のＣＰＵは、スキャナーから読み込んだデータを一旦ビットマップメモリーに展開する。このビットマップメモリーでは、原稿のデータをページ毎に領域を確保して展開しているが、長尺用紙モードでは、ＣＰＵは、このページ毎の領域の区切りを無くし、メモリ全体を一つの領域として確保するようにしている。
【００３４】
次に、▲３▼について説明する。さばき機構２８は、摩擦パッド２９で給紙コロ２６との間に重なり合った用紙を挟圧し、摩擦係数の高い摩擦パッド２９の作用により摩擦パッド２９に接している用紙の搬送を阻止し、これによって重なり合った二枚の用紙を分離するものである。長尺用紙の場合には、重送が生じないため、長尺用紙モードにおいては摩擦パッド２９が給紙コロ２６から離れるようになっている。
【００３５】
なお、長尺用紙１７が取り付けられた場合であっても、ユーザが操作パネル５で給紙カセット１０、１１を選択した場合には、長尺用紙モードに移行せず、給紙カセット１０、１１からの給紙が行われるようになっている。すなわち、図４に示すように、長尺用紙１７が取り付けられ（ステップ＃１０）、センサー２３がＯＮになると（ステップ＃２０）、ＣＰＵは、操作パネル５で給紙カセット１０、１１が選択入力されているか否かを読み込む（ステップ＃３０）。
【００３６】
給紙カセット１０、１１が選択されている場合には、ＣＰＵはカセット給紙の処理手順を選択し（ステップ＃４０）、コピーをスタートする（ステップ＃７０）。ステップ＃３０で給紙カセット１０、１１が選択されていない場合には、ＣＰＵは手差し給紙の処理手順を選択し（ステップ＃５０）、次いで、上述した長尺用紙モードに移行せしめ（ステップ＃６０）、コピーをスタートする（ステップ＃７０）。そして、コピーが終了すると（ステップ＃８０）、このフローが終了する。
【００３７】
次に、実際にコピーを行う場合について説明する。まず、長尺用紙１７を取り付け手差しトレイ１５を介してその先端部を給紙口２５に差し込む。そして、原稿載置台９１に長尺の複写原稿をセットして操作パネル５のプリントボタンを押すと、複写原稿が長さ方向に送られ、ＡＤＦ用コンタクトガラス９３の下方に載置された露光光学系で原稿の画像が読み取られる。また、リフト板２７が上方に回動して長尺用紙１７を給紙コロ２６に押し付けるとともに給紙コロ２６が回転して長尺用紙１７の先端部を画像形成装置本体１内に引き込む。このとき、摩擦パッド２９は給紙コロ２６から離れている。
【００３８】
長尺用紙１７の先端部は搬送経路内を上昇し、レジストスイッチ３８を通過してレジストローラ３６、３７間に突き当たって停止する。また、画像形成部３９では、帯電器４２によって感光体ドラム４０の表面が帯電され、感光体ドラム４０が回転し、前記露光光学系で読み取られた複写原稿の画像の反射光が感光体ドラム４０の表面に照射され、感光体ドラム４０の表面にこの画像の静電潜像が形成される。そして、現像ユニット４３が感光体ドラム４０の表面にトナーを付着させてこの静電潜像を現像する。
【００３９】
長尺用紙１７が停止して所定時間経過すると、レジストローラ３６、３７が回転して長尺用紙１７が再び上昇する。そして感光体ドラム４０と転写ローラ４４の間を通る際に感光体ドラム４０の表面のトナー像が長尺用紙１７上に転写される。そして、長尺用紙１７は定着部４５に至り、ローラ４６、４７間で加圧されるとともに加熱され、これによってトナー像が溶融して長尺用紙１７上に定着する。そして、画像が形成された長尺用紙１７は排出部１２に至り、排出ローラ４８、４９によりコピー収納部１３に排出される。
【００４０】
なお、長尺用紙１７は、所定の長さだけ搬送された時点でカッター５０により幅方向に切断される。そして、原稿載置台９１に新しい複写原稿をセットしてプリントボタンを押すと、上述した動作が繰り返されて次のコピーが行われる。
【００４１】
一方、特にコピー動作の障害とはならないが、長尺用紙１７が斜行してその側縁部分が供給路８０の幅Ｗを超えた場合には、縦カッター９１によってその側縁部分が切断され、切断された不要部分１７ｂは、ガイド板９２と排出ローラ９３により開口９４から画像形成装置本体１の外部へ排出される。
【００４２】
なお、長尺用紙１７の供給路８０の両側部に縦カッター９１、９１が設けられているので、長尺用紙１７の斜行によりその側縁部分の一方が供給路８０の幅Ｗを超えた場合に限らず、供給路８０の幅Ｗよりも広い幅の長尺用紙１７が予め供給された場合であっても、同様の効果を得ることができる。この際、常時長尺用紙１７の側縁部分がカットされることから、画像形成がなされた後の用紙が一定幅に安定し、輪郭の見栄えもよくなる。
【００４３】
無論、本発明は上述した実施形態に限定されるものではなく、本発明の要旨を逸脱しない範囲で上述した実施形態に種々の変形を施すことができる。例えば、長尺用紙の側縁部分を切断する縦カッターは、斜行して供給路の幅を超えた長尺用紙の側縁部分を切断できる限りその供給路のいずれの場所に配置されても構わないし、センサー２３によって長尺用紙の取り付けを検知しＯＮされる自動の動作の代わりに、ユーザが操作パネル５でＯＮを入力しても同様の効果を得ることができる。
【００４４】
【発明の効果】
以上説明した通り本発明によれば、定形用紙よりも長い長尺用紙が供給されて画像形成処理を行う画像形成装置において、画像形成処理が行われる画像形成部に向けて長尺用紙を送出する送出手段が長尺用紙の供給路に備えられたものであって、送出手段の上流側における供給路の両側部にカッターを備え、このカッターは、供給路の幅方向に定められた領域を超えた長尺用紙の側縁部分を供給路に沿ってカットするようになっているので、前記領域を超えた位置に配置された部品に長尺用紙が噛み込んだり干渉したりするというトラブルを未然に防ぐことができる。しかも、供給路の幅方向に定められた領域を超えた長尺用紙の側縁部分を早期にカットすることができ、用紙やトナーの無駄な使用を抑えることが可能となる。
【００４５】
また、カッターの近傍にガイド板を設け、このガイド板は、カットされた長尺用紙の側縁部分を供給路の外へガイドするようになっているので、前記側縁部分を供給路から排除することができる。従って、前記側縁部分が供給路へ侵入するのを抑えることができ、トラブルの発生も少なくなる。
【００４６】
また、ガイド板にローラを設け、このローラは、カットされた長尺用紙の側縁部分を供給路の外へ送り出すようになっているので、前記側縁部分を供給路から確実に排除できる。
【００４７】
更に、ガイド板の端部から装置本体の外部へ貫通する貫通口を設け、カットされた長尺用紙の側縁部分を貫通口から装置本体の外部へ排出するようになっているので、前記側縁部分を装置本体の内部に残存させないようすることができ、トラブルにつながるおそれもなくなる。
【００４９】
そして、供給される長尺用紙の幅が前記領域の幅よりも広くなっていると、常時長尺用紙の側縁部分がカットされるので、画像形成がなされた後の用紙が一定幅に安定し、輪郭の見栄えもよくなる。
【図面の簡単な説明】
【図１】    本発明の一実施形態である画像形成装置の外観斜視図。
【図２】    本発明の一実施形態である画像形成装置の外観斜視図。
【図３】    図１、２の画像形成装置の要部縦断面図。
【図４】    長尺用紙モードの設定手順を示すフローチャート図。
【図５】    長尺用紙の側縁部分を切断する縦カッターの配置を示す図。
【図６】    図５を右方から見た図。
【図７】    長尺用紙が斜行して供給されたときの状態を示す図。
【符号の説明】
１    画像形成装置本体
１４    手差し給紙部
１５    手差しトレイ
１７    長尺用紙
２６    給紙コロ
３６、３７    レジストローラ
８０    供給路
９１    縦カッター
９２    ガイド板
９３    排出ローラ
９４    開口
Ｆ    長尺用紙１７の供給方向
Ｗ    供給路８０の幅
【図１】
0003693595.tif 000002
【図２】
0003693595.tif 000003
【図３】
0003693595.tif 000004
【図４】
0003693595.tif 000005
【図５】
0003693595.tif 000006
【図６】
0003693595.tif 000007
【図７】
0003693595.tif 000008